(57)【要約】【課題】ＭＩＭＯ通信における障害時のデータの送信制御方法およびＭＩＭＯ通信を行う無線基地局装置に関し、無線装置に故障が発生した場合に、無線装置制御部において、故障が発生した部分に対応するアンテナへの送信を迅速に制限して通信異常を回避する。【解決手段】各無線装置１０３内の保守監視部１０６は、その無線装置の故障を検出し、それに対応するアンテナ故障情報をＣＰＲＩリンク１７１３に出力する。無線装置制御装置１０２内の保守監視部１０４は、各ＣＰＲＩリンクからアンテナ故障情報を収集し、それらを集約した装置故障情報を出力する。無線装置制御装置内のベースバンド信号処理部１０５は、ベースバンド信号の処理時に、装置故障情報に基づいて故障アンテナを判別し、その故障アンテナに対応する送信コードワードの生成処理を行わないように制御する。【選択図】図１
2010045729.tif 000002
【特許請求の範囲】
【請求項１】
無線移動局装置に設置された複数のアンテナと無線基地局装置に設置された複数のアンテナを用いて無線通信を行うマルチ入力マルチ出力無線通信方法において、
前記無線基地局装置に設置された前記複数のアンテナの各々又は所定グループ毎に接続され該接続されたアンテナに対する無線通信処理を行う複数の無線装置の故障を検出し、該検出した故障に対応する故障情報を出力する保守監視ステップと、
前記無線基地局装置内で、ベースバンド信号の処理時に、前記故障情報に基づいて故障アンテナを判別し、該故障アンテナに対応する送信コードワードの生成処理を行わないように制御するベースバンド信号処理ステップと、
を含むことを特徴とするマルチ入力マルチ出力無線通信における障害時のデータ送信制御方法。
【請求項２】
無線移動局装置に設置された複数のアンテナと無線基地局装置に設置された複数のアンテナを用いて、前記無線移動局装置からのフィードバック情報に基づいて前記アンテナの組合せを制御しながら無線通信を行うマルチ入力マルチ出力無線通信方法において、
前記無線基地局装置に設置された前記複数のアンテナの各々又は所定グループ毎に接続され該接続されたアンテナに対する無線通信処理を行う複数の無線装置の故障を検出し、該検出した故障に対応する故障情報を出力する保守監視ステップと、
前記無線基地局装置内で、ベースバンド信号の処理時に、前記故障情報に基づいて故障アンテナを判別し、前記フィードバック情報で指定されるアンテナ中に前記故障アンテナが含まれる場合には該故障アンテナを含まないアンテナの組合わせで送信コードワードの生成処理を行うように制御するベースバンド信号処理ステップと、
を含むことを特徴とするマルチ入力マルチ出力無線通信における障害時のデータ送信制御方法。
【請求項３】
前記ベースバンド信号処理ステップは、前記送信コードワードの生成処理を行わないアンテナについては、前記送信コードワードのデータサイズをゼロに設定する、
ことを特徴とする請求項１又は２の何れか１項に記載のマルチ入力マルチ出力無線通信における障害時のデータ送信制御方法。
【請求項４】
無線移動局装置に設置された複数のアンテナと自装置に設置された複数のアンテナを用いてマルチ入力マルチ出力無線通信方式により無線通信を行い、自装置に設置された前記複数のアンテナの各々又は所定グループ毎に接続され該接続されたアンテナに対する無線通信処理を行う複数の無線装置と、該複数の無線装置に個別のディジタルインタフェースを介して接続され通信信号のベースバンド信号を行う無線装置制御装置とを含む無線基地局装置であって、
前記各無線装置内で、該無線装置の故障を検出し、該検出した故障に対応する第１の故障情報を該無線装置が接続される前記ディジタルインタフェースに出力する第１の保守監視手段と、
前記無線装置制御装置内で、前記各ディジタルインタフェースから前記各無線装置の前記第１の故障情報を収集し、該各第１の故障情報を集約した第２の故障情報を出力する第２の保守監視手段と、
前記無線装置制御装置内で、ベースバンド信号の処理時に、前記第２の故障情報に基づいて故障アンテナを判別し、該故障アンテナに対応する送信コードワードの生成処理を行わないように制御するベースバンド信号処理手段と、
を含むことを特徴とする無線基地局装置。
【請求項５】
無線移動局装置に設置された複数のアンテナと自装置に設置された複数のアンテナを用いて、前記無線移動局装置からのフィードバック情報に基づいて前記アンテナの組合せを
制御しながらマルチ入力マルチ出力無線通信方式により無線通信を行い、自装置に設置された前記複数のアンテナの各々又は所定グループ毎に接続され該接続されたアンテナに対する無線通信処理を行う複数の無線装置と、該複数の無線装置に個別のディジタルインタフェースを介して接続され通信信号のベースバンド信号処理を行う無線装置制御装置とを含む無線基地局装置であって、
前記各無線装置内で、該無線装置の故障を検出し、該検出した故障に対応する第１の故障情報を該無線装置が接続される前記ディジタルインタフェースに出力する第１の保守監視手段と、
前記無線装置制御装置内で、前記各ディジタルインタフェースから前記各無線装置の前記第１の故障情報を収集し、該各第１の故障情報を集約した第２の故障情報を出力する第２の保守監視手段と、
前記無線装置制御装置内で、ベースバンド信号の処理時に、前記第２の故障情報に基づいて故障アンテナを判別し、前記フィードバック情報で指定されるアンテナ中に前記故障アンテナが含まれる場合には該故障アンテナを含まないアンテナの組合わせで送信コードワードの生成処理を行うように制御するベースバンド信号処理手段と、
を含むことを特徴とする無線基地局装置。
【請求項６】
前記ベースバンド信号処理手段は、前記アンテナの組合せにより送信可能なストリームが減少した場合に、前記送信コードワードの生成処理におけるデータ量を調整する、
ことを特徴とする請求項４又は５の何れか１項に記載の無線基地局装置。
【請求項７】
前記無線装置制御装置内で、前記各ディジタルインタフェースの故障を検出し、それに対応する第３の故障情報を出力するインタフェース故障検出手段を更に含み、
前記第２の保守監視手段は、前記各第１の故障情報と前記第３の故障情報を集約して前記第２の故障情報を出力する、
ことを特徴とする請求項４乃至６の何れか１項に記載の無線基地局装置。
【請求項８】
前記ベースバンド信号処理手段は、前記送信コードワードの生成処理を行わないアンテナについては、前記送信コードワードのデータサイズをゼロに設定する、
ことを特徴とする請求項４乃至７の何れか１項に記載の無線基地局装置。
【発明の詳細な説明】
【技術分野】
【０００１】
本発明は、ＭＩＭＯ通信における障害時のデータの送信制御方法およびＭＩＭＯ通信を行う無線基地局装置に関する。
【背景技術】
【０００２】
近年、ＭＩＭＯ（Ｍｕｌｔｉｐｌｅ  Ｉｎｐｕｔ  Ｍｕｌｔｉｐｌｅ  Ｏｕｔｐｕｔ）通信が無線通信の分野で採用されている。
ＭＩＭＯは、送信側と受信側にそれぞれ複数本ずつ設置されたアンテナを用いて通信を行う技術で、第４世代移動体通信を担う重要な技術のひとつである。
【０００３】
ＭＩＭＯには、通信品質改善を目的として、複数の送信アンテナから同一のデータを送信するダイバーシチ送信方式と、スループットの改善を目的として、複数の送信アンテナから異なるデータを送信する空間分割多重方式とがある。また、各方式毎に、開ループ方式と閉ループ方式とがある。
【０００４】
空間分割多重による開ループＭＩＭＯ通信方式の場合、フィードバック情報に関係なく複数のアンテナから異なるデータが送信される。図１５は、４アンテナ構成時の空間分割多重方式開ループＭＩＭＯ送信システムの構成例を示す図である。ベースバンド信号処理部１５０１において、スケジューラ１５０２が、データバッファ１５０３に格納されているデータ量を確認し、蓄積されているデータ量に応じて、データサイズを符号化・変調部１５０４へ通知する。符号化・変調部１５０４は通知されたデータ量に従いデータバッファ１５０３に格納されているデータに、空間分割での符号化及び変調処理を実行する。この結果、符号化・変調部１５０４からは、＃１〜＃４の４空間に分割されたベースバンド送信信号１５０５が出力される。これらの＃１〜＃４の各ベースバンド送信信号１５０５は、＃１〜＃４の各送信部１５０６にて電力増幅された後、＃１〜＃４の各アンテナ１５０７から送信される。
【０００５】
空間分割多重による閉ループＭＩＭＯ通信方式の場合は、受信側で各アンテナの組み合わせに対する受信品質が測定され、その中で最適な品質となる組み合わせがフィードバックされ、送信側ではそのフィードバック情報を用いて送信するアンテナの組み合わせが決定される。
【０００６】
図１６は、４アンテナ構成時の空間分割多重による閉ループＭＩＭＯ送信システムの構成例を示す図である。図１５に示される開ループ方式と異なる点は、受信側（携帯電話等）で各アンテナ１５０７の組み合わせに対する受信品質が測定され、その中で最適な品質となる組み合わせがフィードバックされ、送信側のベースバンド信号処理部１６０１内のスケジューラ１６０２は、そのフィードバック情報を用いて送信するアンテナ１５０７の組み合わせを決定し、符号化・変調部１６０３に対しては、＃１〜＃４のベースバンド送信信号１６０４のうち実際に出力させるストリーム数を通知する点である。これに従って、符号化・変調部１６０３は、必要なベースバンド送信信号１６０４のみを出力する。更に、プリコーディング部１６０５がベースバンド送信信号１６０４に対してプリコーディングと呼ばれる処理を行って、その送信出力信号を必要なアンテナ１５０７から出力する。
【０００７】
図１７は、ＭＩＭＯ通信を行う従来の無線基地局装置の構成例を示す図である。
無線基地局装置１７０１は、無線装置制御部１７０２と、それに接続されるモジュール
化された＃１〜＃ＮのＮ台の無線装置１７０３と、各無線装置１７０３に接続されるＭ本のアンテナ１７０４とから構成されている。
【０００８】
無線装置制御部１７０２において、回線終端部１７０６は、上位装置が接続されるネットワーク回線を終端し、その上位装置に対して通信信号を送受信する。
ベースバンド信号処理部１７０５は、回線終端部１７０６から送られてくる送信信号を、符号化及び変調し、その結果得られるベースバンド送信信号をインタフェース部１７０７を介して、＃１〜＃Ｎの無線装置１７０３が接続される＃１〜＃Ｎの光ファイバで構成されるディジタルインタフェース１７１３に送出する。また、＃１〜＃Ｎの無線装置１７０３から＃１〜＃Ｎのディジタルインタフェース１７１３を介して受信されたベースバンド受信信号をインタフェース部１７０７を介して受信し、復調及び復号化し、その結果得られる受信信号を回線終端部１７０６へ送り出す。
【０００９】
呼処理制御部１７０９は、携帯電話等の無線移動局装置との間の呼の開始、更新、終了等のシグナリングを制御し、それに基づいてベースバンド信号処理部１７０５に対して動作の開始、終了等を指示する。
【００１０】
保守監視部１７０８は、ベースバンド信号処理部１７０５及びインタフェース部１７０７の動作状態を監視し、故障が発生した場合にはその故障情報を、回線終端部１７０６を介して上位装置に通知する。また、保守監視部１７０８は、インタフェース部１７０７を介して受信される＃１〜＃Ｎの無線装置１７０３からの故障情報を、回線終端部１７０６を介して上位装置に通知する。
【００１１】
無線装置１７０３において、インタフェース部１７１０は、ディジタルインタフェース１７１３を介して入出力される通信信号を終端する。
送受信増幅部１７１１は、ディジタルインタフェース１７１３及びインタフェース部１７１０を介して無線装置制御部１７０２から送られてきたベースバンド送信信号を電力増幅し、＃１〜＃Ｍのアンテナ１７０４から送信する。また、＃１〜＃Ｍのアンテナ１７０４から受信された受信信号を増幅し、インタフェース部１７１０及びディジタルインタフェース１７１３を介して無線装置制御部１７０２へ送る。
【００１２】
保守監視部１７１２は、送受信増幅部１７１１及びインタフェース部１７１０の状態を監視し、故障が発生した場合にはその故障情報を、インタフェース部１７１０からディジタルインタフェース１７１３を介して無線装置制御部１７０２に通知する。
【００１３】
上述の無線基地局装置１７０１の構成において、＃１〜＃Ｎの無線装置１７０３と無線装置制御部１７０２の間を結ぶ＃１〜＃Ｎのディジタルインタフェース１７１３としては、例えばＣＰＲＩ（Ｃｏｍｍｏｎ  Ｐｕｂｌｉｃ  Ｒａｄｉｏ  Ｉｎｔｅｒｆａｃｅ）と呼ばれる規格のインタフェースが使用される。
【００１４】
無線基地局装置と無線移動局装置の間の通信方式として空間分割多重による開ループＭＩＭＯ通信方式が採用された場合、無線装置１７０３のインタフェース部１７１０や送受信増幅部１７１１が故障した場合、フィードバック情報に関係なく複数の無線装置１７０３が複数のアンテナ１７０４からそれぞれ異なるデータを送信しているため、携帯電話等の無線移動局装置において故障したアンテナ１７０４から送信されたデータの復号が行えず、エラーが発生して通信異常となってしまう。
【００１５】
無線基地局装置と無線移動局装置の間の通信方式として空間分割多重による閉ループＭＩＭＯ通信方式が採用された場合、無線装置１７０３のインタフェース部１７１０や送受信増幅部１７１１が故障した場合、無線移動局装置からのフィードバック情報を用いて送
信に使用されるアンテナ１７０４の組み合わせが決定されているため、故障部分に関連したアンテナ１７０４は選択されなくなると考えられるが、フィードバック時間が長い場合はやはり通信異常となってしまう可能性がある。
【００１６】
ＯＦＤＭ（直交波周波数分割多重：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式等によるユーザ多重が行われる際は、周波数リソース（共有チャネル）が時分割で使用されることになり、ユーザによってはフィードバックに数秒間を要する場合が考えられる。また、無線移動局装置でのフィードバック情報の判定時間や上り受信環境によるフィードバック情報の誤りによりさらにフィードバック時間が伸びることが考えられる。
【００１７】
図１８は、ＣＰＲＩプロトコルの概要図である。無線装置１７０３内の保守監視部１７１２は、図１８に示されるＣｏｎｔｒｏｌ＆Ｍａｎａｇｅｍｅｎｔ  Ｐｌａｎｅ、ＨＤＬＣ、Ｅｔｈｅｒｎｅｔ（登録商標）、Ｖｅｎｄｏｒ  Ｓｐｅｃｉｆｉｃの各フィールドを使用して、無線装置制御部１７０２内の保守監視部１７０８に、無線装置１７０３内の故障状況を通知することができる。
【００１８】
図１９は、無線装置１７０３の送受信増幅部１７１１が故障した場合の従来の故障検出の動作を示す動作シーケンス図である。無線装置１７０３内の保守監視部１７１２は、故障監視を開始した後（Ｓ１９０１）、送受信増幅部１７１１が故障したことを検出する（Ｓ１９０２）。その結果、保守監視部１７１２は、故障情報を送出し、その故障情報は、無線装置１７０３内のインタフェース部１７１０、ディジタルインタフェース１７１３、無線装置制御部１７０２内のインタフェース部１７０７を介して、無線装置制御部１７０２内の保守監視部１７０８にて受信される。無線装置制御部１７０２内の保守監視部１７０８は更に、その故障情報を、無線装置制御部１７０２内の回線終端部１７０６を介して、上位装置に通知する。
【００１９】
図２０は、無線装置１７０３のインタフェース部１７１０が故障した場合の従来の故障検出の動作を示す動作シーケンス図である。無線装置制御部１７０２内のインタフェース部１７０７は、故障監視を開始した後（Ｓ２００１）、無線装置１７０３のインタフェース部１７１０との通信が途絶えたことを検出して当該インタフェース部１７１０の故障状態を検出する（Ｓ２００２）。その結果、インタフェース部１７０７は、保守監視部１７０８に故障情報を送出する。保守監視部１７０８は更に、その故障情報を、回線終端部１７０６を介して、上位装置に通知する。
【００２０】
図１９又は図２０に示される故障情報の収集動作は一般的に無線装置制御部１７０２から上位装置へ通知することを目的としており、この故障情報を用いて送信データの制限をかけたり、送信するアンテナ１７０４を選択することはしていないため、あるアンテナ１７０４に関連する機能部が故障していた場合でも通信異常となる状態が続くことになる。
【発明の開示】
【発明が解決しようとする課題】
【００２１】
以上のように、空間分割多重による開ループＭＩＭＯ通信方式の場合、無線装置内のアンテナ部分に関連するデータ処理部（送受信増幅部、インタフェース部等）が故障した場合、通信異常となってしまうという問題点を有していた。
【００２２】
また、空間分割多重による閉ループＭＩＭＯ通信の場合、無線装置内のアンテナ部分に関連するデータ処理部（送受信増幅部、インタフェース部等）が故障した場合には、無線移動局装置からのフィードバック情報により通信は復旧するが、フィードバックされるまでの時間は通信異常となってしまうという問題点を有していた。
【課題を解決するための手段】
【００２３】
課題は、無線装置に故障が発生した場合に、故障が発生した部分に対応するアンテナへの送信を迅速に制限して通信異常を回避することにある。
以下に示す第１の態様は、無線移動局装置に設置された複数のアンテナと自装置に設置された複数のアンテナ（１７０４）を用いてマルチ入力マルチ出力（ＭＩＭＯ）無線通信方式により無線通信を行う無線基地局装置（１０１）を前提とする。
【００２４】
保守監視手段（１０４、１０６）は、自装置に設置された複数のアンテナの各々又は所定グループ毎に接続され該接続されたアンテナに対する無線通信処理を行う複数の無線装置（１０３）の故障を検出し、その検出した故障に対応する故障情報（２０１、２０２、６０１、６０２）を出力する。
【００２５】
ベースバンド信号処理手段（１０５）は、ベースバンド信号の処理時に、故障情報に基づいて故障アンテナを判別し、その故障アンテナに対応する送信コードワードの生成処理を行わないように制御する。
【００２６】
以下に示す第２の態様は、無線移動局装置に設置された複数のアンテナと自装置に設置された複数のアンテナ（１７０４）を用いてマルチ入力マルチ出力（ＭＩＭＯ）無線通信方式により無線通信を行い、自装置に設置された複数のアンテナの各々又は所定グループ毎に接続されその接続されたアンテナに対する無線通信処理を行う複数の無線装置（１０３）と、その複数の無線装置に個別のディジタルインタフェース（１７１３、ＣＰＲＩ）を介して接続され通信信号のベースバンド信号処理を行う無線装置制御装置（１０２）とを含む無線基地局装置（１０１）を前提とする。
【００２７】
各無線装置内の第１の保守監視手段（１０６）は、その無線装置の故障を検出し、その検出した故障に対応する第１の故障情報（２０１）をその無線装置が接続されるディジタルインタフェースに出力する。
【００２８】
無線装置制御装置内の第２の保守監視手段（１０４）は、各ディジタルインタフェースから各無線装置毎の第１の故障情報を収集し、その各第１の故障情報を集約した第２の故障情報（２０２）を出力する。
【００２９】
無線装置制御装置内のベースバンド信号処理手段（１０５）は、ベースバンド信号の処理時に、第２の故障情報に基づいて故障アンテナを判別し、その故障アンテナに対応する送信コードワードの生成処理を行わないように制御する。
【００３０】
以下に示す第３の態様は、無線移動局装置に設置された複数のアンテナと自装置に設置された複数のアンテナ（１７０４）を用いて、無線移動局装置からのフィードバック情報に基づいてアンテナの組合せを制御しながらマルチ入力マルチ出力（ＭＩＭＯ）無線通信方式により無線通信を行う無線基地局装置（１０１）を前提とする。
【００３１】
保守監視手段（１０４、１０６）は、自装置に設置された複数のアンテナの各々又は所定グループ毎に接続されその接続されたアンテナに対する無線通信処理を行う複数の無線装置の故障を検出し、その検出した故障に対応する故障情報を出力する。
【００３２】
ベースバンド信号処理手段（１０５）は、ベースバンド信号の処理時に、故障情報に基づいて故障アンテナを判別し、フィードバック情報で指定されるアンテナ中に故障アンテナが含まれる場合にはその故障アンテナを含まないアンテナの組合わせで送信コードワードの生成処理を行うように制御する。
【００３３】
以下に示す第４の態様は、無線移動局装置に設置された複数のアンテナと自装置に設置された複数のアンテナ（１７０４）を用いて、無線移動局装置からのフィードバック情報に基づいてアンテナの組合せを制御しながらマルチ入力マルチ出力（ＭＩＭＯ）無線通信方式により無線通信を行い、自装置に設置された複数のアンテナの各々又は所定グループ毎に接続されその接続されたアンテナに対する無線通信処理を行う複数の無線装置（１０３）と、その複数の無線装置に個別のディジタルインタフェース（１７１３、ＣＰＲＩ）を介して接続され通信信号のベースバンド信号処理を行う無線装置制御装置（１０２）とを含む無線基地局装置（１０１）を前提とする。
【００３４】
各無線装置内の第１の保守監視手段（１０６）は、その無線装置の故障を検出し、その検出した故障に対応する第１の故障情報をその無線装置が接続されるディジタルインタフェースに出力する。
【００３５】
無線装置制御装置内の第２の保守監視手段（１０４）は、各ディジタルインタフェースから各無線装置毎の第１の故障情報を収集し、その各第１の故障情報を集約した第２の故障情報を出力する。
【００３６】
無線装置制御装置内のベースバンド信号処理手段（１０５）は、ベースバンド信号の処理時に、第２の故障情報に基づいて故障アンテナを判別し、フィードバック情報で指定されるアンテナ中に故障アンテナが含まれる場合にはその故障アンテナを含まないアンテナの組合わせで送信コードワードの生成処理を行うように制御する。
【００３７】
上述の第３又は第４の態様において、ベースバンド信号処理手段は、アンテナの組合せにより送信可能なストリームが減少した場合に、送信コードワードの生成処理におけるデータ量を調整するように構成することができる。
【００３８】
上述の第２又は第４の態様において、無線装置制御装置内で、各ディジタルインタフェースの故障を検出し、それに対応する第３の故障情報（６０１）を出力するインタフェース故障検出手段（１７０７）を更に含み、第２の保守監視手段は、各第１の故障情報（２０１）と第３の故障情報を集約して第２の故障情報（２０２、６０２）を出力するように構成することができる。
【００３９】
上述の第１〜第４の態様において、ベースバンド信号処理手段は、送信コードワードの生成処理を行わないアンテナについては、送信コードワードのデータサイズをゼロに設定する（Ｓ９０４、Ｓ１３０４）ように構成することができる。
【発明の効果】
【００４０】
空間分割多重方式開ループＭＩＭＯ通信において、上位装置の指示を確認することなく、アンテナ故障による通信異常を防ぐことが可能となる。
また、空間分割多重方式閉ループＭＩＭＯ通信において、上位装置の指示を確認することなく、アンテナ故障による通信停止期間を最小限に抑え、呼の継続を保証することが可能となる。
【発明を実施するための最良の形態】
【００４１】
以下、図面を参照しながら、最良の実施形態について詳細に説明する。
図１は、無線基地局装置の実施形態の構成図である。
図１に示される無線基地局装置の構成において、図１７に示される従来の無線基地局装置の構成と同じ番号が付された部分は、図１７の場合と同じ処理を行う。
【００４２】
図１の構成が図１７の構成と異なる部分は、保守監視部１０４、１０６とベースバンド信号処理部１０５である。なお、それらを含む無線装置制御部１０２、無線装置１０３及び無線基地局装置１０１も番号が変更されている。
【００４３】
保守監視部１０４は、＃１〜＃Ｎの無線装置１０３に関する故障情報を収集するほか、無線装置制御部１０２自身の故障状況も収集している。
なお、図１では、無線装置１０３の送受信増幅部１７１１は1つのブロックで構成されているがアンテナ１７０４毎に独立したブロックで構成されてもよい。また、無線装置制御部１０２内のインタフェース部１７０７も1つのブロックで構成しているが、ディジタルインタフェース１７１３毎に独立したブロックで構成されてもよい。
【００４４】
図２は、無線装置１０３の送受信増幅部１７１１が故障した場合の故障検出の動作を示す動作シーケンス図である。
無線装置１０３内の保守監視部１０６は、故障監視を開始した後（Ｓ２０１）、送受信増幅部１７１１が故障したことを検出する（Ｓ２０２）。この場合、保守監視部１０６は、＃１〜＃Ｍのアンテナ１７０４のうちどのアンテナ向けの送受信増幅部１７１１が故障したかを判定し（Ｓ２０３）、その判定結果に基づいてアンテナ故障情報２０１を送出する。
【００４５】
そのアンテナ故障情報２０１は、無線装置１０３内のインタフェース部１７１０、ディジタルインタフェース１７１３、無線装置制御部１０２内のインタフェース部１７０７を介して、無線装置制御部１０２内の保守監視部１０４にて受信される。
【００４６】
図３は、無線装置１０３から送信されるアンテナ故障情報２０１のデータフォーマット例を示す図である。このデータフォーマット例は、無線装置１０３が＃１と＃２（＝＃Ｍ）の２本のアンテナ１７０４を所有している場合の例である。
【００４７】
無線装置１０３からアンテナ故障情報２０１を受信した無線装置制御部１０２内の保守監視部１０４は、通知された無線装置１０３のアンテナ故障情報２０１と無線装置制御部１０２の配下に接続されている複数の無線装置１０３の故障状況とから、無線基地局装置１０１の装置故障情報２０２（図２）を作成し、それをベースバンド信号処理部１０５に通知する（図２のＳ２０４）。
【００４８】
図４は、装置故障情報２０２のデータフォーマットを示す図である。このデータフォーマット例も、各無線装置１０３が＃１と＃２（＝＃Ｍ）の２本のアンテナ１７０４を所有している場合の例である。
【００４９】
無線装置制御部１０２内の保守監視部１０４は更に、その装置故障情報２０２を、無線装置制御部１０２内の回線終端部１７０６を介して、上位装置に通知する（図２のＳ２０４）。
【００５０】
無線基地局装置１０１と上位装置がＩＰネットワークで接続されている場合、上位装置への通知は例えばＳＮＭＰ（Ｓｉｍｐｌｅ  Ｎｅｔｗｏｒｋ  Ｍａｎａｇｅｍｅｎｔ  Ｐｒｏｔｏｃｏｌ）を用いて通知することができる。図５は、ＳＮＭＰのプロトコルスタックを示す図である。ＳＮＭＰ上ではＭＩＢ（Ｍａｎａｇｅｍｅｎｔ  Ｉｎｆｏｒｍａｔｉｏｎ  Ｂａｓｅ）と呼ばれる管理情報として状態の通知が可能であり、独自ＭＩＢとして図４に示したような無線基地局装置１０１の装置故障情報２０２を定義することで、無線基地局装置１０１の故障状況の通知が可能となる。これにより、上位装置でも無線基地局装置１０１のアンテナ故障状況の認識が可能となる。
【００５１】
図６は、無線装置１０３のインタフェース部１７１０又はそれが接続されるディジタルインタフェース１７１３が故障した場合の故障検出の動作を示す動作シーケンス図である。無線装置制御部１０２内のインタフェース部１７０７は、故障監視を開始した後（Ｓ６０１）、ＣＰＲＩリンクの同期状態異常を検出することにより無線装置１０３のインタフェース部１７１０又はそれに接続されているディジタルインタフェース１７１３の故障を検出する（Ｓ６０２）。この検出結果に基づいて、インタフェース部１７０７は、それが収容している＃１〜＃Ｎのディジタルインタフェース１７１３のＣＰＲＩリンクのうちどれが故障したかを判定し（Ｓ６０３）、ＣＰＲＩリンク故障情報６０１を作成して、それを保守監視部１０４に通知する。
【００５２】
図７は、ＣＰＲＩリンク故障情報６０１のデータフォーマットを示す図である。
無線装置１０３からＣＰＲＩリンク故障情報６０１を受信した無線装置制御部１０２内の保守監視部１０４は、通知されたＣＰＲＩリンク故障情報６０１と無線装置制御部１０２の配下に接続されている複数のＣＰＲＩリンクの故障状況とから、無線基地局装置１０１の装置故障情報６０２（図６）を作成し、それをベースバンド信号処理部１０５に通知する（図６のＳ６０４）。
【００５３】
無線装置制御部１０２内の保守監視部１０４は更に、その装置故障情報６０２を、無線装置制御部１０２内の回線終端部１７０６を介して、上位装置に通知する（図６のＳ６０４）。
【００５４】
図８は、４アンテナ構成時の図１の構成に基づく空間分割多重方式開ループＭＩＭＯ送信システムにおけるベースバンド信号処理部１０５の構成例を示す図である。図８では、簡単のため図１の無線装置１０３に対応する送信部１０３が、それぞれ１本ずつのアンテナ１７０４を所有する場合について示されているが、図１に示されるように、送信部１０３が複数本ずつのアンテナ１７０４を所有する場合も基本的な動作は同じである。
【００５５】
スケジューラ８０１は、データバッファ８０２に格納されているデータ量を確認し、蓄積されているデータ量に応じて、データサイズを符号化・変調部８０３へ通知する。
符号化・変調部８０３は、通知されたデータサイズに従いデータバッファ８０２からデータを吸い上げて、空間分割での符号化及び変調処理を実行する。この結果、符号化・変調部８０３からは、＃１〜＃４の４空間に分割されたベースバンド送信信号８０５が出力される。
【００５６】
これらの＃１〜＃４の各ベースバンド送信信号８０５は、図１の無線装置１０３に対応する＃１〜＃４の各送信部１０３にて電力増幅された後、＃１〜＃４の各アンテナ１７０４から送信される。
【００５７】
このとき、スケジューラ８０１は、図９に示される動作フローチャートに従って、図１の保守監視部１０４から受信した装置故障情報２０２（図２）又は６０２（図６）を解析し、その解析結果に基づいて、アンテナ番号ｉ＝０から（ステップＳ９０１）、ｉ＝アンテナ本数まで（ステップＳ９０５）、順次（ステップＳ９０６）、アンテナ故障を判定する（ステップＳ９０２）。スケジューラ８０１は、ｉ番目のアンテナ１７０４にアンテナ故障がない場合は、該当するｉ番目のアンテナ１７０４向けのコードワードのデータサイズとしてデータバッファ８０２に対して確認したサイズ（図中「ｘ」）を通知し（ステップＳ９０２−＞Ｓ９０３）、アンテナ故障があった場合は、該当するｉ番目のアンテナ１７０４向けのコードワードのデータサイズとして「０」を通知する（ステップＳ９０２−＞Ｓ９０４）。
【００５８】
なお、装置故障情報６０２（図６）が解析される際には、異常が発生したＣＰＲＩリン
ク（図７参照）のディジタルインタフェース１７１３に接続されている無線装置１０３（図１）に収容されているアンテナ１７０４が、特には図示しないリンクとアンテナの対応テーブルから抽出され、故障が発生したアンテナ１７０４が判定される。
【００５９】
スケジューラ８０１から通知されたデータサイズは、符号化・変調部８０３内のデータサイズ格納メモリ８０４のアンテナｉ別の記憶領域に格納される。符号化・変調部８０３は、符号化・変調処理の実行時に、図１０に示される動作フローチャートに従って、アンテナ番号ｉ＝０から（ステップＳ１００１）、ｉ＝アンテナ本数まで（ステップＳ１００５）、順次（ステップＳ１００６）、コードワードのデータサイズを判定する（ステップＳ１００２）。符号化・変調部８０３は、データサイズ格納メモリ８０４に格納されているｉ番目のアンテナ１７０４に対応するコードワードのデータサイズが「０」でなければ、当該コードワードのデータサイズが指定するデータサイズ分のデータをデータバッファ８０２から吸い上げ、符号化・変調処理を実行して、その結果得られる送信信号８０５（＃ｉ）を、ｉ番目のアンテナ１７０４が属する送信部１０３（＃ｉ）に向けて送出する（ステップＳ１００２―＞Ｓ１００３）。一方、符号化・変調部８０３は、データサイズ格納メモリ８０４に格納されているｉ番目のアンテナ１７０４に対応するコードワードのデータサイズが「０」である場合は、そのｉ番目のアンテナ１７０４に対する送信処理は何も行わない（ステップＳ１００２−＞Ｓ１００４）。
【００６０】
図８の例では、＃２のアンテナ１７０４が属する送信部（無線装置）１０３が故障した場合が示されており、本来＃１〜＃４の４つのベースバンド送信信号８０５が送出されるところ、＃１、＃２、＃４の３つのベースバンド送信信号８０５が送信されている。
【００６１】
このようにして、空間分割多重方式開ループＭＩＭＯ送信システムにおいて、ベースバンド信号処理部１０５は、保守監視部１０４から装置故障情報２０２又は６０２を通知されたら、上位装置の指示を確認することなく、データサイズ格納メモリ８０４に格納されているアンテナ１７０４毎のコードワードのデータサイズに基づいて即座に、故障が発生した無線装置１０３（図１）に属するアンテナ１７０４向けに有効データが無駄に送信されてしまうことが回避される。これにより、スループットは低下するものの、通信異常となることを防ぐことが可能となる。
【００６２】
図１１は、４アンテナ構成時の図１の構成に基づく空間分割多重方式閉ループＭＩＭＯ送信システムにおけるベースバンド信号処理部１０５の構成例を示す図である。図１１では、簡単のため図１の無線装置１０３に対応する送信部１０３が、それぞれ１本ずつのアンテナ１７０４を所有する場合について示されているが、図１に示されるように、送信部１０３が複数本ずつのアンテナ１７０４を所有する場合も基本的な動作は同じである。
【００６３】
スケジューラ１１０１は、無線移動局装置からのフィードバック情報に基づいて送信可能なデータサイズを判別する。また、スケジューラ１１０１は、データバッファ１１０２に格納されているデータ量を確認し、フィードバック情報から得られるコードワード数及びデータサイズと、データバッファ１１０２に蓄積されているデータ量とに基づいて、送信されるべきデータサイズを算出して、それを符号化・変調部１１０３へ通知する。
【００６４】
符号化・変調部１１０３は、通知されたデータサイズに従いデータバッファ１１０２からデータを吸い上げて、空間分割での符号化及び変調処理を実行する。この結果、符号化・変調部１１０３からは、＃１〜＃４の４空間に分割されたベースバンド送信信号１１０５が出力される。
【００６５】
また、スケジューラ１１０１は、フィードバック情報に基づいてプリコーディング処理のためのアンテナ１７０４毎の組み合わせを決定し、プリコーディング部１１０６に通知
する。プリコーディング部１１０６は、受信した組み合わせ情報を用いて、ベースバンド送信信号１１０５に対してプリコーディング処理を実行し、その結果得られる各送信出力信号を各送信部１０３（図１の無線装置１０３）を介して各アンテナ１７０４から出力する。
【００６６】
このとき、スケジューラ１１０１は、図１２に示される動作フローチャートに従って、保守監視部１０４（図１）から受信した装置故障情報２０２（図２）又は６０２（図６）を解析し（ステップＳ１２０１）、フィードバック情報からアンテナ１７０４の組合せを判別する際に、アンテナ故障がない場合又はフィードバック情報が故障したアンテナ１７０４を含まない場合には、フィードバック情報に従ってアンテナ１７０４の組合せをプリコーディング部に通知し（ステップＳ１２０２−＞Ｓ１２０３）、フィードバック情報が故障したアンテナ１７０４を含む場合には、故障したアンテナを含まない組合せをプリコーディング部１１０６に通知する（ステップＳ１２０２−＞Ｓ１２０４）。スケジューラ１１０１は、ステップＳ１２０４の実行により送信可能ストリーム数が減る場合は、ストリーム数の減少に伴い送信不可となる送信コードワード番号について内部で「送信不可」を設定しておく。
【００６７】
なお、装置故障情報６０２（図６）が解析される際には、異常が発生したＣＰＲＩリンク（図７参照）のディジタルインタフェース１７１３に接続されている無線装置１０３（図１）に収容されているアンテナ１７０４が、特には図示しないリンクとアンテナの対応テーブルから抽出され、故障が発生したアンテナ１７０４が判定される。
【００６８】
その際に、スケジューラ１１０１は、図１３に示される動作フローチャートに従って、アンテナ番号ｉ＝０から（ステップＳ１３０１）、ｉ＝アンテナ本数まで（ステップＳ１３０５）、順次（ステップＳ１３０６）、ｉ番目のアンテナ１７０４向けのコードワードを送信可能か否かを判定する（ステップＳ１３０２）。スケジューラ１１０１は、前述の図１２のステップＳ１２０４の処理によりアンテナ１７０４の組合せが変更されることで送信ストリーム数が減ってしまいそれに応じて該当するコードワード番号が「不可」に設定されている場合には（前述の図１２のステップＳ１２０４の説明参照）、ｉ番目のアンテナ１７０４向けのコードワードの送信は不可と判定し、該当するｉ番目のアンテナ１７０４向けのコードワードのデータサイズとして「０」を通知し（ステップＳ１３０２−＞Ｓ１３０４）、それ以外の場合には、該当するｉ番目のアンテナ１７０４向けのコードワードのデータサイズとして前記算出されているサイズ（図中「ｘ」）を通知する（ステップＳ１３０２−＞Ｓ１３０３）。
【００６９】
スケジューラ１１０１から通知されたデータサイズは、符号化・変調部１１０３内のデータサイズ格納メモリ１１０４のアンテナｉ別の記憶領域に格納される。符号化・変調部１１０３は、符号化・変調処理の実行時に、図１４に示される動作フローチャートに従って、アンテナ番号ｉ＝０から（ステップＳ１４０１）、ｉ＝アンテナ本数まで（ステップＳ１４０５）、順次（ステップＳ１４０６）、コードワードのデータサイズを判定する（ステップＳ１４０２）。符号化・変調部１１０３は、データサイズ格納メモリ１１０４に格納されているｉ番目のアンテナ１７０４に対応するコードワードのデータサイズが「０」でなければ、当該コードワードのデータサイズが指定するデータサイズ分のデータをデータバッファ１１０２から吸い上げ、符号化・変調処理を実行して、その結果得られるベースバンド送信信号１１０５（＃ｉ）を、ｉ番目のアンテナ１７０４が属する送信部１０３（＃ｉ）に向けて送出する（ステップＳ１４０２−＞Ｓ１４０３）。一方、符号化・変調部１１０３は、データサイズ格納メモリ１１０４に格納されているｉ番目のアンテナ１７０４に対応するコードワードのデータサイズが「０」である場合は、そのｉ番目のアンテナ１７０４に対する送信処理は何も行わない（ステップＳ１４０２−＞Ｓ１４０４）。
【００７０】
図１１の例では、＃４のアンテナ１７０４が属する送信部（無線装置）１０３が故障した場合が示されており、その際に４ストリーム目が送信不可となり、それに伴い３コードワード送信の状態になって＃１〜＃３の３つのベースバンド送信信号１１０５が送信されている。
【００７１】
このようにして、空間分割多重方式閉ループＭＩＭＯ送信システムにおいても、ベースバンド信号処理部１０５は、保守監視部１０４から装置故障情報２０２又は６０２を通知されたら、上位装置の指示を確認することなく、データサイズ格納メモリ８０４に格納されているアンテナ１７０４毎のコードワードのデータサイズに基づいて即座に、故障が発生した無線装置１０３（図１）に属するアンテナ１７０４向けに有効データが無駄に送信されてしまうことが回避される。これにより、スループットは低下するものの、通信異常となることを防ぐことが可能となる。
【００７２】
以上の実施形態に関して、更に以下の付記を開示する。
（付記１）
無線移動局装置に設置された複数のアンテナと無線基地局装置に設置された複数のアンテナを用いて無線通信を行うマルチ入力マルチ出力無線通信方法において、
前記無線基地局装置に設置された前記複数のアンテナの各々又は所定グループ毎に接続され該接続されたアンテナに対する無線通信処理を行う複数の無線装置の故障を検出し、該検出した故障に対応する故障情報を出力する保守監視ステップと、
前記無線基地局装置内で、ベースバンド信号の処理時に、前記故障情報に基づいて故障アンテナを判別し、該故障アンテナに対応する送信コードワードの生成処理を行わないように制御するベースバンド信号処理ステップと、
を含むことを特徴とするマルチ入力マルチ出力無線通信における障害時のデータ送信制御方法。
（付記２）
無線移動局装置に設置された複数のアンテナと無線基地局装置に設置された複数のアンテナを用いて無線通信を行い、前記無線基地局装置は、該設置された前記複数のアンテナの各々又は所定グループ毎に接続され該接続されたアンテナに対する無線通信処理を行う複数の無線装置と、該複数の無線装置に個別のディジタルインタフェースを介して接続され通信信号のベースバンド信号処理を行う無線装置制御装置とを含むマルチ入力マルチ出力無線通信方法において、
前記各無線装置内で、該無線装置の故障を検出し、該検出した故障に対応する第１の故障情報を該無線装置が接続される前記ディジタルインタフェースに出力する第１の保守監視ステップと、
前記無線装置制御装置内で、前記各ディジタルインタフェースから前記各無線装置の前記第１の故障情報を収集し、該各第１の故障情報を集約した第２の故障情報を出力する第２の保守監視ステップと、
前記無線装置制御装置内で、ベースバンド信号の処理時に、前記第２の故障情報に基づいて故障アンテナを判別し、該故障アンテナに対応する送信コードワードの生成処理を行わないように制御するベースバンド信号処理ステップと、
を含むことを特徴とするマルチ入力マルチ出力無線通信における障害時のデータ送信制御方法。
（付記３）
無線移動局装置に設置された複数のアンテナと無線基地局装置に設置された複数のアンテナを用いて、前記無線移動局装置からのフィードバック情報に基づいて前記アンテナの組合せを制御しながら無線通信を行うマルチ入力マルチ出力無線通信方法において、
前記無線基地局装置に設置された前記複数のアンテナの各々又は所定グループ毎に接続され該接続されたアンテナに対する無線通信処理を行う複数の無線装置の故障を検出し、該検出した故障に対応する故障情報を出力する保守監視ステップと、
前記無線基地局装置内で、ベースバンド信号の処理時に、前記故障情報に基づいて故障アンテナを判別し、前記フィードバック情報で指定されるアンテナ中に前記故障アンテナが含まれる場合には該故障アンテナを含まないアンテナの組合わせで送信コードワードの生成処理を行うように制御するベースバンド信号処理ステップと、
を含むことを特徴とするマルチ入力マルチ出力無線通信における障害時のデータ送信制御方法。
（付記４）
無線移動局装置に設置された複数のアンテナと無線基地局装置に設置された複数のアンテナを用いて、前記無線移動局装置からのフィードバック情報に基づいて前記アンテナの組合せを制御しながら無線通信を行い、前記無線基地局装置は、該設置された前記複数のアンテナの各々又は所定グループ毎に接続され該接続されたアンテナに対する無線通信処理を行う複数の無線装置と、該複数の無線装置に個別のディジタルインタフェースを介して接続され通信信号のベースバンド信号を行う無線装置制御装置とを含むマルチ入力マルチ出力無線通信方法において、
前記各無線装置内で、該無線装置の故障を検出し、該検出した故障に対応する第１の故障情報を該無線装置が接続される前記ディジタルインタフェースに出力する第１の保守監視ステップと、
前記無線装置制御装置内で、前記各ディジタルインタフェースから前記各無線装置の前記第１の故障情報を収集し、該各第１の故障情報を集約した第２の故障情報を出力する第２の保守監視ステップと、
前記無線装置制御装置内で、ベースバンド信号の処理時に、前記第２の故障情報に基づいて故障アンテナを判別し、前記フィードバック情報で指定されるアンテナ中に前記故障アンテナが含まれる場合には該故障アンテナを含まないアンテナの組合わせで送信コードワードの生成処理を行うように制御するベースバンド信号処理ステップと、
を含むことを特徴とするマルチ入力マルチ出力無線通信における障害時のデータ送信制御方法。
（付記５）
前記ベースバンド信号処理ステップは、前記アンテナの組合せにより送信可能なストリームが減少した場合に、前記送信コードワードの生成処理におけるデータ量を調整する、
ことを特徴とする付記３又は４の何れか１項に記載のマルチ入力マルチ出力無線通信における障害時のデータ送信制御方法。
（付記６）
前記無線装置制御装置内で、前記各ディジタルインタフェースの故障を検出し、それに対応する第３の故障情報を出力するインタフェース故障検出ステップを更に含み、
前記第２の保守監視ステップは、前記各第１の故障情報と前記第３の故障情報を集約して前記第２の故障情報を出力する、
ことを特徴とする付記２、４、又は５の何れか１項に記載のマルチ入力マルチ出力無線通信における障害時のデータ送信制御方法。
（付記７）
前記ベースバンド信号処理ステップは、前記送信コードワードの生成処理を行わないアンテナについては、前記送信コードワードのデータサイズをゼロに設定する、
ことを特徴とする付記１乃至６の何れか１項に記載のマルチ入力マルチ出力無線通信における障害時のデータ送信制御方法。
（付記８）
無線移動局装置に設置された複数のアンテナと自装置に設置された複数のアンテナを用いてマルチ入力マルチ出力無線通信方式により無線通信を行う無線基地局装置であって、
自装置に設置された前記複数のアンテナの各々又は所定グループ毎に接続され該接続されたアンテナに対する無線通信処理を行う複数の無線装置の故障を検出し、該検出した故障に対応する故障情報を出力する保守監視手段と、
ベースバンド信号の処理時に、前記故障情報に基づいて故障アンテナを判別し、該故障
アンテナに対応する送信コードワードの生成処理を行わないように制御するベースバンド信号処理手段と、
を含むことを特徴とする無線基地局装置。
（付記９）
無線移動局装置に設置された複数のアンテナと自装置に設置された複数のアンテナを用いてマルチ入力マルチ出力無線通信方式により無線通信を行い、自装置に設置された前記複数のアンテナの各々又は所定グループ毎に接続され該接続されたアンテナに対する無線通信処理を行う複数の無線装置と、該複数の無線装置に個別のディジタルインタフェースを介して接続され通信信号のベースバンド信号を行う無線装置制御装置とを含む無線基地局装置であって、
前記各無線装置内で、該無線装置の故障を検出し、該検出した故障に対応する第１の故障情報を該無線装置が接続される前記ディジタルインタフェースに出力する第１の保守監視手段と、
前記無線装置制御装置内で、前記各ディジタルインタフェースから前記各無線装置の前記第１の故障情報を収集し、該各第１の故障情報を集約した第２の故障情報を出力する第２の保守監視手段と、
前記無線装置制御装置内で、ベースバンド信号の処理時に、前記第２の故障情報に基づいて故障アンテナを判別し、該故障アンテナに対応する送信コードワードの生成処理を行わないように制御するベースバンド信号処理手段と、
を含むことを特徴とする無線基地局装置。
（付記１０）
無線移動局装置に設置された複数のアンテナと自装置に設置された複数のアンテナを用いて、前記無線移動局装置からのフィードバック情報に基づいて前記アンテナの組合せを制御しながらマルチ入力マルチ出力無線通信方式により無線通信を行う無線基地局装置であって、
自装置に設置された前記複数のアンテナの各々又は所定グループ毎に接続され該接続されたアンテナに対する無線通信処理を行う複数の無線装置の故障を検出し、該検出した故障に対応する故障情報を出力する保守監視手段と、
ベースバンド信号の処理時に、前記故障情報に基づいて故障アンテナを判別し、前記フィードバック情報で指定されるアンテナ中に前記故障アンテナが含まれる場合には該故障アンテナを含まないアンテナの組合わせで送信コードワードの生成処理を行うように制御するベースバンド信号処理手段と、
を含むことを特徴とする無線基地局装置。
（付記１１）
無線移動局装置に設置された複数のアンテナと自装置に設置された複数のアンテナを用いて、前記無線移動局装置からのフィードバック情報に基づいて前記アンテナの組合せを制御しながらマルチ入力マルチ出力無線通信方式により無線通信を行い、自装置に設置された前記複数のアンテナの各々又は所定グループ毎に接続され該接続されたアンテナに対する無線通信処理を行う複数の無線装置と、該複数の無線装置に個別のディジタルインタフェースを介して接続され通信信号のベースバンド信号処理を行う無線装置制御装置とを含む無線基地局装置であって、
前記各無線装置内で、該無線装置の故障を検出し、該検出した故障に対応する第１の故障情報を該無線装置が接続される前記ディジタルインタフェースに出力する第１の保守監視手段と、
前記無線装置制御装置内で、前記各ディジタルインタフェースから前記各無線装置の前記第１の故障情報を収集し、該各第１の故障情報を集約した第２の故障情報を出力する第２の保守監視手段と、
前記無線装置制御装置内で、ベースバンド信号の処理時に、前記第２の故障情報に基づいて故障アンテナを判別し、前記フィードバック情報で指定されるアンテナ中に前記故障アンテナが含まれる場合には該故障アンテナを含まないアンテナの組合わせで送信コード
ワードの生成処理を行うように制御するベースバンド信号処理手段と、
を含むことを特徴とする無線基地局装置。
（付記１２）
前記ベースバンド信号処理手段は、前記アンテナの組合せにより送信可能なストリームが減少した場合に、前記送信コードワードの生成処理におけるデータ量を調整する、
ことを特徴とする付記１０又は１１の何れか１項に記載の無線基地局装置。
（付記１３）
前記無線装置制御装置内で、前記各ディジタルインタフェースの故障を検出し、それに対応する第３の故障情報を出力するインタフェース故障検出手段を更に含み、
前記第２の保守監視手段は、前記各第１の故障情報と前記第３の故障情報を集約して前記第２の故障情報を出力する、
ことを特徴とする付記９、１１、又は１２の何れか１項に記載の無線基地局装置。
（付記１４）
前記ベースバンド信号処理手段は、前記送信コードワードの生成処理を行わないアンテナについては、前記送信コードワードのデータサイズをゼロに設定する、
ことを特徴とする付記８乃至１３の何れか１項に記載の無線基地局装置。
【図面の簡単な説明】
【００７３】
【図１】無線基地局装置の実施形態の構成図である。
【図２】無線装置の送受信増幅部が故障した場合の故障検出の動作を示す動作シーケンス図である。
【図３】無線装置から送信されるアンテナ故障情報のデータフォーマット例を示す図である。
【図４】装置故障情報のデータフォーマットを示す図である。
【図５】ＳＮＭＰのプロトコルスタックを示す図である。
【図６】無線装置のインタフェース部又はそれが接続されるディジタルインタフェースが故障した場合の故障検出の動作を示す動作シーケンス図である。
【図７】ＣＰＲＩリンク故障情報のデータフォーマットを示す図である。
【図８】４アンテナ構成時の図１の構成に基づく空間分割多重方式開ループＭＩＭＯ送信システムにおけるベースバンド信号処理部の構成例を示す図である。
【図９】図８のスケジューラにおける装置故障情報に基づくコードワードのデータサイズ決定処理の動作フローチャートである。
【図１０】図８の符号化・変調部におけるコードワードのデータサイズに基づく送信制御処理の動作フローチャートである。
【図１１】４アンテナ構成時の図１の構成に基づく空間分割多重方式閉ループＭＩＭＯ送信システムにおけるベースバンド信号処理部の構成例を示す図である。
【図１２】図１１のスケジューラにおける装置故障情報に基づくプリコーディングのためのアンテナ組合せの決定処理の動作フローチャートである。
【図１３】図１１のスケジューラにおける装置故障情報に基づくコードワードのデータサイズ決定処理の動作フローチャートである。
【図１４】図１１の符号化・変調部におけるコードワードのデータサイズに基づく送信制御処理の動作フローチャートである。
【図１５】４アンテナ構成時の空間分割多重方式開ループＭＩＭＯ送信システムの構成例を示す図である。
【図１６】４アンテナ構成時の空間分割多重による閉ループＭＩＭＯ送信システムの構成例を示す図である。
【図１７】ＭＩＭＯ通信を行う従来の無線基地局装置の構成例を示す図である。
【図１８】ＣＰＲＩプロトコルの概要図である。
【図１９】無線装置の送受信増幅部が故障した場合の従来の故障検出の動作を示す動作シーケンス図である。
【図２０】無線装置のインタフェース部が故障した場合の従来の故障検出の動作を示す動作シーケンス図である。
【符号の説明】
【００７４】
１０１、１７０１      無線基地局装置
１０２、１７０２      無線装置制御部
１０３（＃１〜＃Ｎ）、１７０３（＃１〜＃Ｎ）      無線装置、送信部
１０４、１０６、１７０８、１７１２      保守監視部
１０５、１５０１、１６０１、１７０５      ベースバンド信号処理部
２０１      アンテナ故障情報
２０２、６０２      装置故障情報
６０１      ＣＰＲＩリンク故障情報
８０１、１１０１、１５０２、１６０２      スケジューラ
８０２、１１０２、１５０３      データバッファ
８０３、１１０３、１５０４、１６０３      符号化・変調部
８０４、１１０４      データサイズ格納メモリ
８０５（＃１、＃３、＃４）、１１０５（＃１〜＃３）、１５０５（＃１〜＃４）、１６０４（＃１〜＃４）      送信信号
１１０６、１６０５      プリコーディング部
１５０６（＃１〜＃４）      送信部
１５０７（＃１〜＃４）、１７０４（＃１−１〜＃１−Ｍ、〜＃Ｎ―１〜＃Ｎ−Ｍ）  
アンテナ
１７０６      回線終端部
１７０７、１７１０      インタフェース部
１７０９      呼処理制御部
１７１１      送受信増幅部
【図１】
2010045729.tif 000003
【図３】
2010045729.tif 000004
【図４】
2010045729.tif 000005
【図５】
2010045729.tif 000006
【図７】
2010045729.tif 000007
【図９】
2010045729.tif 000008
【図１０】
2010045729.tif 000009
【図１３】
2010045729.tif 000010
【図１４】
2010045729.tif 000011
【図１７】
2010045729.tif 000012
【図１８】
2010045729.tif 000013
【図２】
2010045729.tif 000014
【図６】
2010045729.tif 000015
【図８】
2010045729.tif 000016
【図１１】
2010045729.tif 000017
【図１２】
2010045729.tif 000018
【図１５】
2010045729.tif 000019
【図１６】
2010045729.tif 000020
【図１９】
2010045729.tif 000021
【図２０】
2010045729.tif 000022